(57)【要約】【課題】  低周波数から高周波数に亙って周波数帯域を複数の段階に分別し、この段階ごとにカーボン含有率及びその形状を選定して所望周波数帯域に的確に整合し得る軟質樹脂発泡体からなる電波吸収体を形成し且つ電波吸収体を収容する筐体を底部と蓋部とに二分し、底部に蓋部を嵌合、被嵌して合体する構成とし、気密性を確固に保持出来、製作し易く、軽量であり、更に扱い易い全天候型電波吸収パネルユニットの提供。【解決手段】  カーボン含有軟質樹脂発泡体の電波入射側表面の形状を凹凸形状と平面形状の二種に分別して電波吸収体３０と成し、電波吸収体３０を誘電率３．０以下のＦＲＰ（繊維強化プラスチック）素材を用いた底部２０と蓋部１０から成る筐体１に収容する構成としたことを特徴とする。【選択図】        図１
2005159247.tif 000002
【特許請求の範囲】
【請求項１】
カーボン含有軟質樹脂発泡体の電波入射側表面の形状を凹凸形状と平面形状の二種に分別して電波吸収体と成し、該電波吸収体を誘電率３．０以下のＦＲＰ（繊維強化プラスチック）素材を用いた底部と蓋部から成る筐体に収容する構成としたことを特徴とする全天候型電波吸収パネルユニット。
【請求項２】
前記凹凸形状の凸部は丸みを帯びた截頭円錐体を形成し、所定ピッチで縦横斜め方向に規則正しく配列したことを特徴とする請求項１記載の全天候型電波吸収パネルユニット。
【請求項３】
前記軟質樹脂発泡体は、ウレタンフォームからなることを特徴とする請求項１記載の全天候型電波吸収パネルユニット。
【請求項４】
前記電波吸収体は、一側端部から二側端部に向かって徐々に厚みが変化し、表面が傾斜する構成としたことを特徴とする請求項１乃至３何れか記載の全天候型電波吸収パネルユニット。
【請求項５】
前記筐体は、ＧＦＲＰ（ガラス繊維強化プラスチック）製であって、底部の周縁部は所定高さ寸法起立した壁面を形成し、この周縁部の外周面に蓋部の裾内周面が接するように嵌合、被嵌して合体する構成としたことを特徴とする請求項１記載の全天候型電波吸収パネルユニット。
【請求項６】
前記筐体の少なくとも表面及び側面等の外気に曝される部分に耐候性塗料を塗布したことを特徴とする請求項１乃至５何れか記載の全天候型電波吸収パネルユニット。
【発明の詳細な説明】
【技術分野】
【０００１】
電波障害を低減または防止する全天候型電波吸収パネルユニットに関する。
【背景技術】
【０００２】
ＩＴ産業の急速な発展に伴い、無線機器、端末機器が増大し、各所で電波、電磁波による障害を受ける機会が増えてきている。これらの所謂電波障害を軽減または防止するために、種々の提案がなされている。
【０００３】
電波吸収パネルとしては、１）「カーボン粒子またはカーボン繊維を含むポリオレフィン系樹脂発泡体を導電性の金属箔または導電性の樹脂シートの両面に貼り付けた構成の電波吸収パネルをパーティションパネルとして室内に配置することによって、無線ＬＡＮの通信速度の改善ができた。」という公報が開示されている（例えば、特許文献１参照。）。
【０００４】
また、２）水、塵埃、排気ガスなどの異物が電波吸収体内部が侵入しにくく、且つ軽量、薄型で充分な電波吸収能を有する電波吸収パネルを提供する目的で、「平板状の電波吸収体と電波透過性を有し且つ該電波吸収体の少なくとも電波入射を意図する部位を被覆する被覆材とを備える電波吸収パネルであって、被覆材が、電波吸収体内部への異物の侵入を抑制し得るように設けられてなる電波吸収パネル。」という公報が開示されている（例えば、特許文献２参照。）。
【特許文献１】特開２００３−３０９３９４号公報
【特許文献２】特開２００２−１５１８８２号公報
【発明の開示】
【発明が解決しようとする課題】
【０００５】
然しながら上述の従来例では、１）の場合、電波吸収性能と物理的強度を電波吸収体そのものに求めて屋内のパーティションパネルとして室内に配置するものであって、屋外用には不向きな構造である。
【０００６】
また、２）の場合、電波入射側表面のシート状被覆材と裏面板との組み付け、工数が多く、また構造上の点において、被覆材の形状等が明確でない。
【０００７】
本発明は、上述の点に着目して成されたもので、低周波数から高周波数に亙って周波数帯域を複数の段階に分別し、この段階ごとにカーボン含有率及びその形状を選定して所望周波数帯域に的確に整合し得る軟質樹脂発泡体からなる電波吸収体を形成し、且つ電波吸収体を収容する筐体を底部と蓋部とに二分し、底部に蓋部を嵌合、被嵌して合体する構成とし、気密性を確固に保持出来、製作し易く、軽量であり、更に扱い易い全天候型電波吸収パネルユニットを提供することを目的とする。
【課題を解決するための手段】
【０００８】
本発明は、下記構成を備えることにより上記課題を解決できるものである。
【０００９】
（１）カーボン含有軟質樹脂発泡体の電波入射側表面の形状を凹凸形状と平面形状の二種に分別して電波吸収体と成し、該電波吸収体を誘電率３．０以下のＦＲＰ（繊維強化プラスチック）素材を用いた底部と蓋部から成る筐体に収容する構成とした全天候型電波吸収パネルユニット。
【００１０】
（２）前記凹凸形状の凸部は丸みを帯びた截頭円錐体を形成し、所定ピッチで縦横斜め方向に規則正しく配列した前項（１）記載の全天候型電波吸収パネルユニット。
【００１１】
（３）前記軟質樹脂発泡体は、ウレタンフォームからなる前項（１）記載の全天候型電波吸収パネルユニット。
【００１２】
（４）前記電波吸収体は、一側端部から二側端部に向かって徐々に厚みが変化し、表面が傾斜する構成とした前項（１）乃至（３）何れか記載の全天候型電波吸収パネルユニット。
【００１３】
（５）前記筐体は、ＧＦＲＰ（ガラス繊維強化プラスチック）製であって、底部の周縁部は所定高さ寸法起立した壁面を形成し、この周縁部の外周面に蓋部の内周面が接するように嵌合、被嵌して合体する構成とした前項（１）記載の全天候型電波吸収パネルユニット。
【００１４】
（６）前記筐体の表面及び側面等の外気に曝される部分に耐候性塗料を塗布した前項（１）乃至（５）何れか記載の全天候型電波吸収パネルユニット。
【発明の効果】
【００１５】
本発明は、低周波数から高周波数に亙って周波数帯域を複数の段階に分別し、この段階ごとにカーボン含有率及びその形状を選定して所望周波数帯域に的確に整合し得る軟質樹脂発泡体からなる電波吸収体を形成し、且つ電波吸収体を収容する筐体を底部と蓋部とに二分し、底部に蓋部を嵌合、被嵌して合体する構成としたことで、気密性を確固に保持出来、製作し易く、軽量であり、更に扱い易い全天候型電波吸収パネルユニットを提供することが出来る。
【発明を実施するための最良の形態】
【００１６】
以下に本発明に係る全天候型電波吸収パネルユニットの実施の形態について説明する。
【００１７】
図１は、実施例１における全天候型電波吸収パネルユニットの構成を示す図、（ａ）は一部破断側面図、（ｂ）は表面凹凸形状の電波吸収体の一例を示す斜視図、（ｃ）は蓋部と底部とからなる筐体の組立て前の斜視図、図２（ａ）は、表面が傾斜した凹凸形状の電波吸収体の一例を示す斜視図、（ｂ）は図２（ａ）の傾斜した凹凸形状の電波吸収体に適合する蓋部の形状例を示す斜視図、図３（ａ）は、平面形状の板状電波吸収体の一例を示す斜視図、（ｂ）は図３（ａ）の平面形状の板状電波吸収体に適合する蓋部の形状例を示す斜視図である。
【実施例１】
【００１８】
実施例１は、図１（ａ）、（ｂ）、（ｃ）に示すように、ウレタンフォーム等の軟質樹脂発泡体から成る電波吸収体３０が一定の厚みを有し、電波入射側表面の形状を凹凸形状とし、凸部３０ａは丸みを帯びた截頭円錐体を形成し、所定ピッチで縦横斜め方向に規則正しく配列した構成とし、且つ外箱を形成する筐体（ＦＲＰ）１の蓋部１０の表面（天板）１０ａは強度上、大きな曲率の球面状に膨出させた形状としてある。
【００１９】
また、筐体１の底部２０の周縁部２０ａは所定高さ寸法ｈ起立した壁面を形成し、この周縁部２０ａの外周面に蓋部１０の裾内周面１０ｃが接するように嵌合、被嵌して合体する構成としてある。
【００２０】
筐体１に用いるＦＲＰ（繊維強化プラスチック）は、誘電率が３．０以下、好ましくは２．５以下、更に好ましくは２．０以下のものが望ましい。
【００２１】
ＦＲＰとしては、ガラス繊維を含んだ、耐疲労性、電波透過性、電気絶縁性大、難燃性大、安価、アルミニュウム合金並の適度の剛性を有するＧＦＲＰが好適である。他の符号について、１０ｂは蓋部１０の裾であり、底部２０の周縁部２０ａと当接、嵌合する部分である。
【００２２】
また図１（ａ）に示すように、前記嵌合部は電波吸収体収容後、風雨等の異物の侵入を防止するため、耐候性の接着剤Ｃｅにて接合する構成としてある。
【００２３】
また、底部２０の周縁部２０ａの高さｈは、電波吸収体３０の厚みｔよりも小さく、低い方が望ましい。後述の実施例の場合でも、基本的にｈ＜ｔ、ｔ１、ｔ３が成立するように構成する。
【実施例２】
【００２４】
実施例２は、電波入射側表面の形状が凹凸形状の電波吸収体５０で、図２（ａ）に示すように、一側端部から二側端部に向かって徐々（ｔ１〜ｔ２）に厚みが変化し、表面が傾斜（角度：θ）する構成とした場合の例である。
【００２５】
従って図２（ｂ）に示すように、蓋部４０の形状も、この電波吸収体５０の形状に適合するように側面部４０ｃを傾斜面にて形成し表面（天板）４０ａを実施例１の場合と同様に強度上、大きな曲率の球面状に膨出させた形状としてある。
【００２６】
尚、蓋部４０の形状は、表面（天板）４０ａを傾斜させず、厚みの厚いｔ２の高さ寸法に合せて四隅がこの寸法ｔ２に合致した方形状としても良い。
【００２７】
他の符号について、４０ｂは蓋部４０の裾である。機能については、前述の実施例１と同様であるので説明を省略する。
【実施例３】
【００２８】
実施例３は、電波入射側表面の形状が平面形状の電波吸収体７０で、図３（ａ）に示すように、厚みｔ３が一様な板状体を形成した場合の例である。
【００２９】
従って図３（ｂ）に示すように、蓋部６０の形状も、この電波吸収体７０の形状に適合するように側面部の高さ寸法を電波吸収体７０の厚みｔ３適合するように低く押え、表面（天板）６０ａを実施例１、２の場合と同様に強度上、大きな曲率の球面状に膨出させた形状としてある。
【００３０】
他の符号について、６０ｂは蓋部６０の裾である。機能については、前述の実施例１、２と同様であるので説明を省略する。
【実施例４】
【００３１】
実施例４は、前述の実施例１〜３の形態において、前記筐体の表面及び側面等の外気に曝される部分に耐候性塗料を塗布した場合の例である。
【００３２】
尚、この耐候性塗料を色彩的効用の点から選択することも出来る。
【００３３】
適用周波数帯域は、０．４ＧＨｚ〜１８ＧＨｚ以上９５ＧＨｚ程度まで、広範囲に適用可能である。
【００３４】
本発明に係る全天候型電波吸収パネルユニットの特徴は：
（１）  厚さは極めて薄く：８５ｍｍｔ
（２）  重さは軽く      ：  ６ｋｇ/ｍ２
（３）  広帯域対応      ：０．４〜９５ＧＨｚ
であって、且つ外気（太陽光、風雨等）に曝しても強い耐候性に優れ、整合周波数帯域用としてカーボン含有率及び／または電波吸収体の厚みを適宜変えて的確に対応することが出来る。
【００３５】
また、本実施例では、電波入射側表面の形状が凹凸形状の電波吸収体を１２ＧＨｚ以上の高周波帯域用とし、平面形状の電波吸収体を１８ＧＨｚ以下の低周波帯域用とした。
【００３６】
また、実施例２で、電波吸収体の表面が連続傾斜面として説明したが、不連続の階段状傾斜面としても良い。
【００３７】
尚、電波吸収帯域に応じてカーボン含有率及び厚みを調節できることは勿論である。
【００３８】
尚また、電波吸収体となるウレタンフォームの表面形状は、角錐、半球、または混在した凹凸面で構成しても良い。
【００３９】
本発明に係る全天候型電波吸収パネルユニットユニットは、屋外用としてだけではなく、屋内用としても適用可能であることは言うまでもない。
【産業上の利用可能性】
【００４０】
航空機の格納庫や、建物、橋梁、高架線、巨大構築物等、電波の反射障害、偽像障害等に対応することができ、低周波数から高周波数に亙って周波数帯域を複数の段階に分別し、この段階ごとにカーボン含有率及びその形状を選定して所望周波数帯域に的確に整合し得る軟質樹脂発泡体からなる電波吸収体を形成し、電波吸収体を収容する筐体を底部と蓋部とに二分し、底部に蓋部を嵌合、被嵌して合体する構成としたことで、気密性を確固に保持出来、製作し易く、軽量であり、更に扱い易い全天候型電波吸収パネルユニットを提供することが出来る。
【図面の簡単な説明】
【００４１】
【図１】実施例１における全天候型電波吸収パネルユニットの構成を示す図、（ａ）一部破断側面図、（ｂ）表面凹凸形状の電波吸収体の一例を示す斜視図、（ｃ）蓋部と底部とからなる筐体の組立て前の斜視図
【図２】（ａ）表面が傾斜した凹凸形状の電波吸収体の一例を示す斜視図、（ｂ）図２（ａ）の傾斜した凹凸形状の電波吸収体に適合する蓋部の形状例を示す斜視図
【図３】（ａ）平面形状の板状電波吸収体の一例を示す斜視図、（ｂ）図３（ａ）の平面形状の板状電波吸収体に適合する蓋部の形状例を示す斜視図
【符号の説明】
【００４２】
１  筐体
１０  蓋部
１０ａ、４０ａ、６０ａ  表面（天板）
１０ｂ、４０ｂ、６０ｂ  裾
１０ｃ  （蓋部の）内周面
２０ａ  周縁部
３０  電波吸収体
３０ａ、５０ａ  凸部
Ｃｅ  接着剤
【図１】
2005159247.tif 000003
【図２】
2005159247.tif 000004
【図３】
2005159247.tif 000005